(57)【特許請求の範囲】
【請求項１】
互いにＳＩＰ（Session Initiation Protocol）で規定される通信機能を備えた複数のＳＩＰ端末及びＳＩＰ網を１つのポートに接続可能とする接続部と、
前記複数のＳＩＰ端末に対する交換処理を実行する第１の処理部と、
前記ＳＩＰ網に対する交換処理を実行する第２の処理部と、
前記複数のＳＩＰ端末それぞれを特定する端末ＩＤを記憶する記憶部と、
前記接続部にて受信した交換に係わる制御信号中の送信元識別情報に基づいて、前記記憶部の記憶内容を参照し、この参照結果に基づいて、当該制御信号を前記第１の処理部または第２の処理部に振り分ける振り分け部とを具備したことを特徴とするインタフェース装置。
【請求項２】
さらに、前記記憶部に対し未登録となるＳＩＰ端末が前記接続部に接続されるとき、当該ＳＩＰ端末から到来する登録要求メッセージに基づいて、当該ＳＩＰ端末を特定する端末ＩＤを前記記憶部に登録する登録手段を備えたことを特徴とする請求項１記載のインタフェース装置。
【請求項３】
互いにＳＩＰ（Session Initiation Protocol）で規定される通信機能を備えた複数のＳＩＰ端末を収容し、かつＳＩＰ網を接続可能とするインタフェース装置と、
このインタフェース装置に対し前記複数のＳＩＰ端末または前記ＳＩＰ網に係わる交換処理を実行させる交換制御部とを具備し、
前記インタフェース装置は、
前記複数のＳＩＰ端末及び前記ＳＩＰ網を１つのポートにより接続する接続部と、
前記複数のＳＩＰ端末に対する交換処理を実行する第１の処理部と、
前記ＳＩＰ網に対する交換処理を実行する第２の処理部と、
前記複数のＳＩＰ端末それぞれを特定する端末ＩＤを記憶する記憶部と、
前記接続部にて受信した交換に係わる制御信号中の送信元識別情報に基づいて、前記記憶部の記憶内容を参照し、この参照結果に基づいて、当該制御信号を前記第１の処理部または第２の処理部に振り分ける振り分け部とを備えたことを特徴とする交換装置。
【請求項４】
前記インタフェース装置は、前記記憶部に対し未登録となるＳＩＰ端末が前記接続部に接続されるとき、当該ＳＩＰ端末から到来する登録要求メッセージに基づいて、当該ＳＩＰ端末を特定する端末ＩＤを前記記憶部に登録する登録手段をさらに備えたことを特徴とする請求項３記載の交換装置。
【請求項５】
互いにＳＩＰ（Session Initiation Protocol）で規定される通信機能を備えた複数のＳＩＰ端末及びＳＩＰ網を１つのポートにより接続可能とするインタフェース装置で使用される制御方法において、
前記インタフェース装置に接続される前記複数のＳＩＰ端末それぞれを特定する端末ＩＤを記憶部に記憶しておき、
交換に係わる制御信号が到来したとき、当該制御信号中の送信元識別情報に基づいて、前記記憶部の記憶内容を参照し、
前記参照結果から前記送信元識別情報と前記記憶部中の端末ＩＤとが一致した場合に、複数のＳＩＰ端末に対する交換処理を実行し、
前記参照結果から前記送信元識別情報と前記記憶部中の端末ＩＤとが一致しない場合に、前記ＳＩＰ網に対する交換処理を実行するようにしたことを特徴とするインタフェース装置で使用される制御方法。
【発明の詳細な説明】
【技術分野】
【０００１】
この発明は、例えばＳＩＰ（Session Initiation Protocol）トランクゲートウェイ装置に係わり、特にＳＩＰ端末とＳＩＰ網とを両方接続できるようにしたインタフェース装置、このインタフェース装置を備えた交換装置及びインタフェース装置で使用される制御方法に関する。
【背景技術】
【０００２】
近年、ＩＰ（Internet Protocol）網を介して、双方向に画像や音声をパケットデータとして、リアルタイムに送受信するＩＰ電話システムが普及し始めている。このＩＰ電話システムでは、ＩＰ網に接続される主装置ごとに内線間通信や外線発着信を行えることは勿論のこと、ＩＰ網を経由した主装置間での内線通信や外線発着信を行うことができる。また、このＩＰ電話システムでは、そのプロトコルとしてＳＩＰが広く使われている。
【０００３】
この種のシステムでは、主装置ごとのＳＩＰ端末のＳＩＰＵＲＩ（端末ＩＤ）をＳＩＰ網上の事業者の登録サーバに予め登録しておき、ＳＩＰ端末にてＳＩＰ網を使用して通話を行う際に、上記登録されたＳＩＰＵＲＩを基にサーバがＳＩＰ端末の認証を行うようにしている。
【０００４】
なお、上記システムにおいて、専用ＳＩＰ端末が標準ＳＩＰ端末の主装置として働き、同時に自分自身も内線（クライアント）になる技術も提案されている（例えば、特許文献１）。このシステムでは、主装置が不要となる。
【特許文献１】特開２００７−１３３０４公報。
【発明の開示】
【発明が解決しようとする課題】
【０００５】
ところで、上記主装置では、ＳＩＰ端末とＳＩＰ網とで、ＳＩＰメッセージを受信するＩＰポートを別々に分けている。上記特許文献１に示された技術であっても、ＳＩＰ端末とＳＩＰ網とで、ＳＩＰメッセージを受信するＩＰポートを別々に分けることになる。この場合、ＳＩＰ端末（以下、ＳＩＰサーバ機能と称する）はポート番号５０６０、ＩＰ網（以下、ＳＩＰクライアント機能と称する）は５０６２というように、広く認知されているＳＩＰのデフォルトポート番号５０６０を使用しない場合が出てくるため、ＳＩＰ端末の設定やファイアウォール、アプリケーションレイヤゲートウェイといったネットワーク機器の設定が煩雑となり、不便である。
【０００６】
そこで、この発明の目的は、広く認知されている１つのＳＩＰのデフォルトポート番号を使用してネットワーク環境の構築が容易なインタフェース装置、このインタフェース装置を備えた交換装置及びインタフェース装置で使用される制御方法を提供することにある。
【課題を解決するための手段】
【０００７】
上記目的を達成するために、この発明に係わるインタフェース装置は、互いにＳＩＰ（Session Initiation Protocol）で規定される通信機能を備えた複数のＳＩＰ端末及びＳＩＰ網を１つのポートに接続可能とする接続部と、複数のＳＩＰ端末に対する交換処理を実行する第１の処理部と、ＳＩＰ網に対する交換処理を実行する第２の処理部と、複数のＳＩＰ端末それぞれを特定する端末ＩＤを記憶する記憶部と、接続部にて受信した交換に係わる制御信号中の送信元識別情報に基づいて、記憶部の記憶内容を参照し、この参照結果に基づいて、当該制御信号を第１の処理部または第２の処理部に振り分ける振り分け部とを備えるようにしたものである。
【０００８】
この構成によれば、複数のＳＩＰ端末及びＳＩＰ網を１つのポートに接続するとともに、複数のＳＩＰ端末用の処理部と、ＳＩＰ網用の処理部とを１つのインタフェースに内蔵し、内線として収容する複数のＳＩＰ端末それぞれの端末ＩＤを記憶したメモリをインタフェースに設け、１つのポートによりＳＩＰメッセージ等の制御信号を受信した場合に、ＳＩＰメッセージ中の送信元識別情報及びメモリに蓄積管理された端末ＩＤを利用して、簡単な手順により当該ＳＩＰメッセージをＳＩＰ端末用の処理部と、ＳＩＰ網用の処理部とに振り分けるようにしている。
【０００９】
従って、ＳＩＰサーバ機能とＳＩＰクライアント機能といった異なるＳＩＰサービスのＳＩＰメッセージを同一のＩＰポートで受信できる構成とすることにより、広く認知されているＳＩＰのデフォルトポート番号５０６０のみを使用してネットワーク環境の容易な構築が可能となる。また、内線として収容される複数のＳＩＰ端末それぞれの端末ＩＤのみがメモリに記憶されるため、インタフェース全体としての記憶容量を大幅に低減することができ、これによりインタフェースの回路規模を小型化することができる。
【００１０】
さらに、記憶部に対し未登録となるＳＩＰ端末が接続部に接続されるとき、当該ＳＩＰ端末から到来する登録要求メッセージに基づいて、当該ＳＩＰ端末を特定する端末ＩＤを記憶部に登録する登録手段を備えたことを特徴とする。
【００１１】
この構成によれば、１つのポートに対し未登録のＳＩＰ端末が接続される場合に、ユーザの手操作を介することなく、自動的にメモリに対し未登録のＳＩＰ端末の端末ＩＤを追加登録することができる。
【発明の効果】
【００１２】
以上詳述したようにこの発明によれば、広く認知されている１つのＳＩＰのデフォルトポート番号を使用してネットワーク環境の構築が容易なインタフェース装置、このインタフェース装置を備えた交換装置及びインタフェース装置で使用される制御方法を提供することにある。
【発明を実施するための最良の形態】
【００１３】
以下、この発明の実施形態について図面を参照して詳細に説明する。  
図１は、この発明に係わるＩＰ電話システムの一実施形態を示すブロック図であり、１は構内交換機を示している。
【００１４】
構内交換機１は、複数のインタフェース部１１（ここでは、説明の簡単なためインタフェース部１１のみを図示）と、中央制御部１２とを備え、制御バス１３を介して相互に接続されている。
【００１５】
インタフェース部１１は、ＳＩＰ網ＮＷに接続され、中央制御部１２による制御の下、ＳＩＰ網ＮＷとの間の呼の確立処理等を行う。また、インタフェース部１１には、複数のＳＩＰ内線端末Ｔ１〜Ｔｎ（ｎは自然数）が収容される。そして、インタフェース部１１は、複数のＳＩＰ内線端末Ｔ１〜Ｔｎに対する発着信処理等のインタフェース動作を行う。また、インタフェース部１１は、複数のＳＩＰ内線端末Ｔ１〜Ｔｎとのインタフェース動作に係わる種々の制御情報の授受を、中央制御部１２との間で行なう。
【００１６】
一方、中央制御部１２は、構内交換機１としての動作を実現するための制御機能を備えている。
【００１７】
ところで、本実施形態のインタフェース部１１は、ＳＩＰクライアント／サーバ振分け部１１１と、ＳＩＰ内線登録テーブル１１２と、ＳＩＰクライアント処理部１１３と、ＳＩＰサーバ処理部１１４と、ＳＩＰメッセージ受信用の唯一つのＩＰポート１１５とから構成される。
【００１８】
ＳＩＰクライアント／サーバ振分け部１１１は、ＩＰポート１１５により受信されるＳＩＰメッセージに含まれる送信元ＩＰアドレスを利用して、ＳＩＰ内線登録テーブル１１２を参照し、この参照結果に基づいてＳＩＰメッセージのＳＩＰクライアント処理部１１３またはＳＩＰサーバ処理部１１４への振り分け制御を実行する。また、ＳＩＰ内線端末Ｔ１〜ＴｎからＳＩＰ−ＲＥＧＩＳＴＥＲメッセージ(登録要求メッセージ)を受信した場合に、このＳＩＰ−ＲＥＧＩＳＴＥＲメッセージを無条件にＳＩＰサーバ処理部１１４へ転送する。
【００１９】
ＳＩＰ内線登録テーブル１１２には、図２に示すように、構内交換機１に収容するＳＩＰ内線端末Ｔ１〜ＴｎのＳＩＰ内線番号とＳＩＰ内線端末ＩＰアドレスとの対応関係を表す情報を予め全て登録してある。
【００２０】
ＳＩＰクライアント処理部１１３は、ＳＩＰ網ＮＷとの間の呼の確立処理等のインタフェース処理を実行すると共に、このインタフェース動作に係わる制御情報の授受を中央制御部１２との間で行う。
【００２１】
ＳＩＰサーバ処理部１１４は、複数のＳＩＰ内線端末Ｔ１〜Ｔｎに対する発着信処理等のインタフェース動作を行うと共に、このインタフェース動作に係わる制御情報の授受を中央制御部１２との間で行う。また、ＳＩＰ−ＲＥＧＩＳＴＥＲメッセージを受信した場合に、ＳＩＰ内線登録テーブル１１２への登録処理を実行する。
【００２２】
次に、上記構成における処理動作について説明する。  
図３はＳＩＰ内線のレジストレーション動作を説明するために示すシーケンス図であり、図４はレジストレーション動作時のＳＩＰサーバ処理部１１４の処理手順を示すフローチャートである。
【００２３】
ＳＩＰ内線端末Ｔ１〜ＴｎからＳＩＰ−ＲＥＧＩＳＴＥＲメッセージを受信すると（図３（１））、ＳＩＰクライアント／サーバ振り分け部１１１は、無条件にＳＩＰサーバ処理部１１４にそのメッセージを振り分ける（図３（２））。
【００２４】
ＳＩＰサーバ処理部１１４は、ＳＩＰ−ＲＥＧＩＳＴＥＲメッセージを受信すると（ステップＳＴ４ａ）、ＳＩＰ−ＲＥＧＩＳＴＥＲメッセージのコンタクトアドレスからＳＩＰ内線番号とＳＩＰ内線端末ＩＰアドレスを抽出し、このバインディングをＳＩＰ内線登録テーブル１１２に登録する。
【００２５】
図５は、ＳＩＰメッセージの振り分け処理を説明するために示すシーケンス図であり、図６はＳＩＰメッセージの振り分け処理時のＳＩＰクライアント／サーバ振り分け部１１１の処理手順を示すフローチャートである。
【００２６】
ＳＩＰクライアント／サーバ振り分け部１１１は、ＳＩＰメッセージを受信すると（図５（１）、ステップＳＴ６ａ）、ＳＩＰメッセージの送信元ＩＰアドレスをキーとしてＳＩＰ内線登録テーブル１１２をサーチする（図５（２）、ステップＳＴ６ｂ）。ここで、送信元ＩＰアドレスがＳＩＰ内線登録テーブル１１２に登録されていれば（Ｙｅｓ）、ＳＩＰクライアント／サーバ振り分け部１１１はＳＩＰメッセージをＳＩＰサーバ処理部１１４に振り分ける（ステップＳＴ６ｃ）。
【００２７】
一方、登録されていなければ（Ｎｏ）、ＳＩＰクライアント／サーバ振り分け部１１１はＳＩＰメッセージをＳＩＰクライアント処理部１１３に振り分ける（ステップＳＴ６ｄ）。
【００２８】
以上のように上記実施形態では、インタフェース部１１において、複数のＳＩＰ内線端末Ｔ１〜Ｔｎ及びＳＩＰ網ＮＷを１つのＩＰポート１１６に接続するとともに、ＳＩＰクライアント処理部１１３と、ＳＩＰサーバ処理部１１４とを内蔵し、収容する複数のＳＩＰ内線端末Ｔ１〜ＴｎそれぞれのＳＩＰ内線番号とＳＩＰ内線端末ＩＰアドレスとの対応関係を表す情報を記憶したＳＩＰ内線登録テーブル１１２を設け、１つのＩＰポート１１５によりＳＩＰメッセージを受信した場合に、ＳＩＰクライアント／サーバ振り分け部１１１にてＳＩＰメッセージ中の送信元ＩＰアドレス及びＳＩＰ内線登録テーブル１１２の登録情報を利用して、簡単な手順により当該ＳＩＰメッセージをＳＩＰクライアント処理部１１３と、ＳＩＰサーバ処理部１１４とに振り分けるようにしている。
【００２９】
従って、ＳＩＰサーバ機能とＳＩＰクライアント機能といった異なるＳＩＰサービスのＳＩＰメッセージを同一のＩＰポート１１５で受信できる構成とすることにより、広く認知されているＳＩＰのデフォルトポート番号５０６０のみを使用してネットワーク環境の容易な構築が可能となる。
【００３０】
また、構内交換機１に収容される複数のＳＩＰ内線端末Ｔ１〜ＴｎそれぞれのＳＩＰ内線番号とＳＩＰ内線端末ＩＰアドレスとの対応関係を表す情報のみをＳＩＰ内線登録テーブル１１２に登録するだけでよいため、インタフェース部１１全体としての記憶容量を大幅に低減することができ、これによりインタフェース部１１の回路規模を小型化することができる。
【００３１】
さらに、上記実施形態では、１つのＩＰポート１１５に対し未登録のＳＩＰ内線端末が接続される場合であっても、構内交換機１のオペレータの手操作を介することなく、自動的にＳＩＰ内線登録テーブル１１２に対し未登録のＳＩＰ内線端末のＳＩＰ内線番号及びＳＩＰ内線端末ＩＰアドレスを追加登録することができる。
【００３２】
なお、ＳＩＰ内線端末について、ＳＩＰで規定される通信機能を備えているものであれば、無線ＬＡＮを利用した端末や、パーソナル・コンピュータ上のソフトウェアで実現しているソフトフォンであってもよい。
【００３３】
また、上記実施形態では、構内交換機１にインタフェース部１１を備える例について説明したが、他の電子機器にインタフェース部１１を備えるようにしてもよい。
【００３４】
その他、システムの構成及び種類、構内交換機の構成及び種類、インタフェース部の機能、ＳＩＰ内線登録テーブルの記憶内容、ＳＩＰメッセージのＳＩＰクライアント処理部及びＳＩＰサーバ処理部への振り分け制御方法、ＳＩＰ内線登録テーブルへの未登録のＳＩＰ端末の登録方法等についても、この発明の要旨を逸脱しない範囲で種々変形して実施できる。
【図面の簡単な説明】
【００３５】
【図１】この発明に係わるＩＰ電話システムの一実施形態を示すブロック図。
【図２】上記図１に示したＳＩＰ内線登録テーブルの記憶内容の一例を示す図。
【図３】同実施形態におけるＳＩＰ内線のレジストレーション動作を説明するために示すシーケンス図。
【図４】同実施形態におけるレジストレーション動作時のＳＩＰサーバ処理部の処理手順を示すフローチャート。
【図５】同実施形態におけるＳＩＰメッセージの振り分け処理を説明するために示すシーケンス図。
【図６】同実施形態におけるＳＩＰメッセージの振り分け処理時のＳＩＰクライアント／サーバ振り分け部の処理手順を示すフローチャート。
【符号の説明】
【００３６】
１…構内交換機、１１…インタフェース部、１２…中央制御部、１３…制御バス、１１１…ＳＩＰクライアント／サーバ振り分け部、１１２…ＳＩＰ内線登録テーブル、１１３…ＳＩＰクライアント処理部、１１４…ＳＩＰサーバ処理部、１１５…ＩＰポート、ＮＷ…ＳＩＰ網、Ｔ１〜Ｔｎ…ＳＩＰ内線端末。
【図１】
0004302165.tif 000002
【図２】
0004302165.tif 000003
【図３】
0004302165.tif 000004
【図４】
0004302165.tif 000005
【図５】
0004302165.tif 000006
【図６】
0004302165.tif 000007